(57)【要約】【課題】原稿台と給送部とを備えた読取装置において、原稿の良質な読取画像を得ることができる読取装置及び複写装置を提供する。【解決手段】読取装置は、原稿を載置する原稿台を有する筐体と、筐体の上部においてヒンジ３０を介して回動するカバーと、カバーに搭載された給送部の一例としての自動原稿送り装置（ＡＤＦ）と、原稿台に載置された原稿及びＡＤＦが給送した原稿を読み取る読取部とを有する。また、読取装置は、筐体を構成し原稿台を支持する第１フレーム７１と、筐体を構成しヒンジ３０が固定された第２フレーム７２とを有している。【選択図】図８
2020072328.tif 000002
【特許請求の範囲】
【請求項１】
原稿を載置する原稿台を有する筐体と、
前記筐体の上部においてヒンジを介して回動するカバーと、
前記カバーに搭載された給送部と、
前記原稿台に載置された原稿及び前記給送部が給送した原稿を読み取る読取部と、
前記筐体を構成し前記原稿台を支持する第１フレームと、
前記筐体を構成し前記ヒンジが固定された第２フレームと、
を有することを特徴とする読取装置。
【請求項２】
前記第１フレームと前記第２フレームとの間に、隙間が形成されている、ことを特徴とする請求項１に記載の読取装置。
【請求項３】
前記筐体を構成し前記原稿台のフレーム枠を前記第１フレームとともに構成し当該第１フレームの長手方向と交差する方向に延びる一対のサイドフレームを備え、
前記第２フレームは、前記一対のサイドフレームと固定されている、ことを特徴とする請求項１又は請求項２に記載の読取装置。
【請求項４】
前記原稿台は、前記読取部を移動可能に収容するハウジングを備え、
前記ハウジングの底部には、前記第２フレームと前記サイドフレームのうち一方又は両方と対向する位置には、当該一方又は両方が下方へ変形したときに当たる度当て部が設けられる、ことを特徴とする請求項３に記載の読取装置。
【請求項５】
前記原稿台は、前記第１フレームと、前記第１フレームに対して前記第２フレームと反対側で対向する位置に平行に配置された第３フレームとを含む一対のフレームを有し、
前記一対のフレームは、長手方向と交差する断面の形状がＵ字状を有しており、
前記一対のフレームのうち一方又は両方の前記Ｕ字状の部分には柱部材が介在する、ことを特徴とする請求項１〜請求項４のいずれか一項に記載の読取装置。
【請求項６】
前記ヒンジは、相対回動可能に連結された第１部材と第２部材とを備え、
前記第１部材が前記第２フレームに固定され、
前記第２部材が前記給送部及び前記カバーを支持し、
前記第２部材に固定された状態で前記カバーの回動半径方向に延伸する補強フレームを備え、
前記給送部のフレームは、前記補強フレームと固定されている、ことを特徴とする請求項１〜請求項５のいずれか一項に記載の読取装置。
【請求項７】
原稿を載置する原稿台を有する筐体と、
前記筐体の上部においてヒンジを介して回動するカバーと、
前記カバーに搭載された給送部と、
前記原稿台に載置された原稿及び前記給送部が給送した原稿を読み取る読取部と、を備え、
前記ヒンジは、相対回動可能な第１部材と第２部材とを有し、
前記第１部材が前記筐体を構成するフレームに固定され、
前記第２部材が前記給送部及び前記カバーを支持し、
前記第２部材に固定された状態で前記カバーの回動半径方向に延伸する補強フレームを備え、
前記給送部のフレームは、前記補強フレームと固定されている、ことを特徴とする読取装置。
【請求項８】
前記補強フレームは、前記回動半径方向に前記給送部及びカバーの重心位置を超える位置まで延伸している、ことを特徴とする請求項６又は７に記載の読取装置。
【請求項９】
前記原稿台に移動可能に収容される前記読取部としての第１読取部と、前記給送部において搬送経路の途中で原稿を読み取る第２読取部とを備え、
前記補強フレームは、前記給送部における前記回動半径方向と交差する幅方向において、前記給送部により搬送された原稿を読み取る読取位置にある前記第１読取部と前記第２読取部とのそれぞれの外側端部の間の範囲に配置されている、ことを特徴とする請求項６〜請求項８のいずれか一項に記載の読取装置。
【請求項１０】
前記給送部の前記フレームは、
前記回動半径方向の両側に配置された一対の側板フレームと、
前記一対の側板フレームを支持する支持フレームと、
を有し、
前記補強フレームは、前記支持フレームの上方又は下方に位置し、前記支持フレームに対して前記回動半径方向の両端部で固定され、前記両端部の固定箇所の間の範囲の少なくとも一部で前記支持フレームと隙間を隔てて配置されている、ことを特徴とする請求項６〜請求項９のいずれか一項に記載の読取装置。
【請求項１１】
前記補強フレームは、前記回動半径方向と交差する方向の断面の形状がＵ字状であって、当該補強フレームよりも下方に位置する前記支持フレームに対して、前記Ｕ字状の底部にて、前記回動半径の接線方向を軸線方向とするねじ部材により固定されている、ことを特徴とする請求項１０に記載の読取装置。
【請求項１２】
請求項１〜請求項１１のいずれか一項に記載の読取装置と、
前記読取装置の前記読取部が読み取った原稿の画像を媒体に記録する記録部を前記筐体内に有する記録装置と、
を有し、
前記読取装置の下方に前記記録装置が配置されている、
ことを特徴とする複写装置。
【発明の詳細な説明】
【技術分野】
【０００１】
本発明は、原稿を読み取る読取装置及び当該読取装置を備えた複写装置に関する。
【背景技術】
【０００２】
特許文献１には、読取装置の一例としての画像読取ユニットを備えた複写機が開示されている。画像読取ユニットは、画像形成部の上に固定されたスキャナーと、これに支持されるシート分離搬送装置としての原稿自動搬送装置（ＡＤＦ）とを有している。画像形成部の上に固定されたスキャナー及びＡＤＦを有する画像読取ユニットは、固定読取部や移動読取部を有している。
【０００３】
ＡＤＦは、本体カバーに、読取前の原稿を載置するための原稿載置台、原稿を搬送する原稿搬送部、読取後の原稿をスタックする原稿スタック台などを保持している。ＡＤＦは、台座部であるスキャナーに固定されたヒンジ機構により回動可能に支持されている。スキャナーの上面には原稿台ガラスが保持されている。
【先行技術文献】
【特許文献】
【０００４】
【特許文献１】特開２０１３−１２７５２４号公報
【発明の概要】
【発明が解決しようとする課題】
【０００５】
しかし、特許文献１に記載された画像読取ユニットでは、ＡＤＦを搭載するカバーを開けたときにＡＤＦの重量によってスキャナーの台座部が変形したり、ＡＤＦが変形したりする恐れがある。このため、ＡＤＦのスキャナーに対する開閉を繰り返すうちに、台座部に保持されたガラスの枠の位置がずれ、ガラスの枠に揃えてセットされる原稿の位置がずれてしまう。また、ＡＤＦのスキャナーに対する開閉を繰り返すうちに、ＡＤＦが変形し、ＡＤＦが搬送する原稿の位置がずれてしまう。このように原稿台と給送部とを備えた読取装置において、原稿の良好な読取画像が得られなくなるという課題がある。
【課題を解決するための手段】
【０００６】
上記課題を解決する読取装置は、原稿を載置する原稿台を有する筐体と、前記筐体の上部においてヒンジを介して回動するカバーと、前記カバーに搭載された給送部と、前記原稿台に載置された原稿及び前記給送部が給送した原稿を読み取る読取部と、前記筐体を構成し前記原稿台を支持する第１フレームと、前記筐体を構成し前記ヒンジが固定された第２フレームと、を有する。
【０００７】
上記課題を解決する読取装置は、原稿を載置する原稿台を有する筐体と、前記筐体の上部においてヒンジを介して回動するカバーと、前記カバーに搭載された給送部と、前記原稿台に載置された原稿及び前記給送部が給送した原稿を読み取る読取部と、を備え、前記ヒンジは、相対回動可能な第１部材と第２部材とを有し、前記第１部材が前記筐体を構成するフレームに固定され、前記第２部材が前記給送部及び前記カバーを支持し、前記第２部材に固定された状態で前記カバーの回動半径方向に延伸する補強フレームを備え、前記給送部のフレームは、前記補強フレームと固定されている。
【０００８】
上記課題を解決する複写装置は、上記読取装置と、前記読取装置の前記読取部が読み取った原稿の画像を媒体に記録する記録部を前記筐体内に有する記録装置と、を有し、前記読取装置の下方に前記記録装置が配置されている。
【図面の簡単な説明】
【０００９】
【図１】一実施形態における複合機の斜視図。
【図２】読取装置を示す斜視図。
【図３】カバーの開状態にある読取装置を示す斜視図。
【図４】読取装置の一部破断した正面図。
【図５】ガラスを取り外した状態の原稿台を示す斜視図。
【図６】原稿台のフレーム構造を示す斜視図。
【図７】原稿台のフレーム構造を示す側面図。
【図８】原稿台の後部を示す側断面図。
【図９】原稿台の左後部を示す正断面図。
【図１０】原稿台の右後部を示す正断面図。
【図１１】外装カバーを取り外したＡＤＦを示す斜視図。
【図１２】カバーに搭載されたＡＤＦを示す側断面図。
【図１３】ＡＤＦのフレームを示す斜視図。
【図１４】変更例におけるスキャナー装置を示す斜視図。
【図１５】ＡＤＦを搭載するカバーが開状態にあるスキャナー装置を示す斜視図。
【発明を実施するための形態】
【００１０】
以下、記録装置の一実施形態を図面に従って説明する。
図１に示すように、複写装置の一例としての複合機１１は、水平な使用場所に設置された状態で、高さ、奥行、及び幅としてそれぞれ所定の長さを有する筐体１２と、筐体１２上に配置された読取装置１３を備える。読取装置１３は、筐体１２上に配置された原稿台３１を有する原稿読取装置１４と、原稿台３１に対して開閉可能に設けられたカバー１５と、カバー１５に搭載された給送部の一例としての自動原稿送り装置１６（ＡＤＦ（Auto Document Feeder））とを備えている。
【００１１】
筐体１２は、カバー１５を開けて原稿Ｄを載置する原稿台３１を上部に有している。カバー１５は、筐体１２の上部において一対のヒンジ３０（図３参照）を介して回動可能に設けられている。カバー１５は、原稿台３１の載置面を露出させる開位置と図１に示す閉位置とに開閉可能な原稿台カバーを兼ねている。原稿台３１にセットされた原稿Ｄは、原稿読取装置１４内に配置された読取部の一例としての第１読取部４１（図４参照）によって読み取られる。
【００１２】
自動原稿送り装置１６は、複数の原稿Ｄを積層状態で載置可能な原稿トレイ１７と、原稿トレイ１７の下側に配置された排出部１８とを備えている。そして、原稿トレイ１７に積層状態でセットされた複数の原稿Ｄは、順次に排出部１８へと送られる過程で原稿読取装置１４内に配置された第１読取部４１（図４参照）によって読み取られる。
【００１３】
複合機１１において、読取装置１３の下側の部分は、媒体の一例としての用紙Ｐに記録を行う記録装置２９となっている。複合機１１は、読取装置１３と、読取装置１３の第１読取部４１が読み取った原稿Ｄの画像を用紙Ｐに記録する記録部２６を筐体１２内に有する記録装置２９とを有している。複合機１１では、読取装置１３の下方に記録装置２９が配置されている。
【００１４】
筐体１２の前面部分には、底部側から上に向かって順に、装着口１２Ａに着脱自在に装着される用紙カセット１９と、記録済みの用紙Ｐが排出される排出口２０とが設けられている。排出口２０には、排出口２０から排出される記録済みの用紙Ｐを支持する排出トレイ２１が伸縮自在に取着されている。原稿読取装置１４の前面部分には、各種の操作を行うための操作パネル２２が設けられている。なお、筐体１２の前面及び複合機１１の前面とは、高さと幅を有し、ユーザーが複合機１１の操作を主に行う側面のことをいう。つまり、複合機１１は、操作パネル２２が配置されている側の面が前面とされ、その反対側の面が背面（後面）とされている。
【００１５】
操作パネル２２は、ユーザーが複合機１１に対して指示を与える際に操作される複数のボタンを含む操作部２３と表示部２４とを有している。操作部２３は、例えば、複合機１１の電源をオンとオフとで切り替える電源ボタンを含んでいる。表示部２４は、複合機１１のメニューやメッセージ等の各種情報を表示可能とされている。なお、表示部２４をタッチパネルとし操作部２３の一部を兼ねた構成としてもよい。
【００１６】
図１に示すように、筐体１２の後上部には、いわゆる手差し印刷を行うための用紙Ｐを支持して給送する用紙給送機構２５が設けられている。用紙給送機構２５は、ユーザーがスライドさせて延出させた給紙トレイ（図示略）上にセットされた複数の用紙Ｐを１枚ずつ筐体１２内へ給送可能に構成されている。なお、本実施形態では、筐体１２の前面から後面に向かう方向と平行な方向を奥行方向Ｘとし、奥行方向Ｘ及び鉛直方向Ｚの両方と直交する方向を幅方向Ｙとする。幅方向Ｙ及び奥行方向Ｘは実質的に水平面に沿う。
【００１７】
図１に示すように、筐体１２の内部には、インクが収容されたタンク又はインクカートリッジよりなるインク供給源（図示略）と、インク供給源から供給されたインクを、用紙カセット１９から供給された用紙Ｐに記録する記録部２６がそれぞれ配置されている。記録部２６は、インク供給源からチューブ（図示略）介して供給されるインクを吐出する記録ヘッド２７と、記録ヘッド２７を支持するキャリッジ２８とを備える。また、筐体１２内には、用紙カセット１９又は用紙給送機構２５から用紙Ｐを搬送する搬送部と、搬送された用紙Ｐを記録部２６と対向する位置で支持する支持台（いずれも図示略）とが配置されている。キャリッジ２８が用紙Ｐの幅方向に移動する過程で記録ヘッド２７がインクを吐出することにより用紙Ｐに１動作分の記録を施す記録動作と、搬送部が用紙Ｐを次回の記録位置まで搬送する搬送動作とを交互に行うことで、用紙Ｐに記録がなされる。記録済みの用紙Ｐは、排出口２０から排出トレイ２１上に排出される。このように記録部２６を収容する筐体１２の部分は、読取装置１３により読み取られた原稿Ｄの画像を用紙Ｐに記録するコピーを含む記録を行う記録装置２９となっている。なお、記録部２６は、シリアル記録方式に限らず、ライン記録方式でもよい。ライン記録方式の場合、記録ヘッド２７は、想定最大幅の用紙Ｐの幅に亘る範囲を一度で記録可能な長尺状のラインヘッド、又は複数の単位ヘッドが用紙Ｐの幅に亘る範囲で複数配列されたマルチヘッドにより構成される。
【００１８】
次に、図２、図３を参照して、読取装置１３の詳細な構成を説明する。
図２に示すように、読取装置１３は、筐体１２の上部に組み付けられた原稿読取装置１４と、原稿読取装置１４に対して蓋として機能するカバー１５と、カバー１５の上部に搭載された自動原稿送り装置１６（以下、「ＡＤＦ１６」ともいう。）とを有している。読取装置１３は、原稿読取装置１４とＡＤＦ１６とが上下に重なって構成されている。原稿トレイ１７は、原稿Ｄがセットされる載置面１７Ａと、載置面１７Ａ上にセットされた原稿Ｄを奥行方向Ｘに位置決めする一対のエッジガイド１７Ｂを備える。また、ＡＤＦ１６は、その上面部に開閉カバー１６Ａを有している。開閉カバー１６Ａは、ＡＤＦ１６の内部の搬送機構が露出する開位置と図２に示す閉位置とに開閉可能に構成されている。
【００１９】
図３は、ＡＤＦ１６を搭載するカバー１５を原稿読取装置１４に対して開けた状態を示す。ＡＤＦ１６を搭載するカバー１５は、読取装置１３の背面側となる端部を支点として、原稿読取装置１４に対して開閉可能に構成されている。図３に示すように、原稿読取装置１４とＡＤＦ１６を搭載するカバー１５とはヒンジ３０を介して回動可能に連結されている。
【００２０】
原稿台３１は、上方の開口を有する四角枠状の本体ハウジング３２と、本体ハウジングの上面部に設けられた四角枠状の枠体３３と、本体ハウジング３２の開口と枠体３３との間に挟んで組み付けられた四角形の原稿台ガラス３４（以下、単に「ガラス３４」ともいう。）とを備える。原稿台３１におけるガラス３４に対して第１読取部４１（図４、図５参照）の走査方向である幅方向Ｙの一方側の隣の位置には、幅方向Ｙと交差する奥行方向Ｘに沿って延びる長尺状の窓に組み付けられたガラスよりなる透明板３５が設けられている。
【００２１】
カバー１５における原稿台３１と対向する面（裏面）は、原稿台３１上の原稿Ｄを上方から押さえ付ける原稿押さえ面３６となっている。カバー１５の裏面には、原稿押さえ面３６の図３における左側となる端部位置に、ＡＤＦ１６が搬送した原稿Ｄの一部が露出する開口３７が設けられている。ガラス３４上にセットされる原稿Ｄは、枠体３３の内側端面に辺を揃えることで位置決めされる。原稿読取装置１４は、原稿台３１のガラス３４上にセットされた原稿Ｄ又は原稿トレイ１７から給送された原稿Ｄに記録されている文字、写真等の画像を読み取る。
【００２２】
次に、図４を参照して、読取装置１３の詳細な構成について説明する。図４に示すように、カバー１５は、原稿台３１に対して開閉可能な原稿台カバーを兼ねている。読取装置１３は、カバー１５を開けると露出する原稿台３１のガラス３４上に載置された原稿Ｄを読み取るフラットベッド型のスキャナー機能と、原稿トレイ１７にセットされた複数枚の原稿ＤをＡＤＦ１６により１枚ずつ自動で給送して読み取るシートフィーダー型のスキャナー機能とを備える。
【００２３】
原稿台３１は、第１読取部４１を移動可能に収容するハウジング３８を備えている。フラットベッド型のスキャナー機能では、第１読取部４１が幅方向Ｙに走査して原稿台３１のガラス３４上に載置された原稿Ｄを読み取る。第１読取部４１は、ガラス３４上の原稿Ｄの画像を読み取る第１センサー４４と、第１センサー４４を搭載するキャリッジ４５とを有している。キャリッジ４５は、ガラス３４及び透明板３５の直下の領域を幅方向Ｙに移動可能に設けられている。ユーザーからの読取指示の受付を待機しているとき、キャリッジ４５は幅方向Ｙの一端の位置である待機位置で待機する。待機位置は、第１読取部４１のホームポジションとなる。第１読取部４１は、待機位置から幅方向Ｙに所定速度で走査することによって、ガラス３４上にセットされた原稿Ｄの画像を読み取る。
【００２４】
シートフィーダー型のスキャナー機能では、ＡＤＦ１６が、原稿トレイ１７に積載される原稿Ｄを順次供給し、その搬送経路Ｔの途中で原稿Ｄの画像を読取部４１，４２に読み取らせる。ＡＤＦ１６により給送された原稿Ｄを読み取る場合、第１読取部４１は、その移動経路の幅方向Ｙの一端寄りとなる読取位置ＳＰに配置される。つまり、第１読取部４１は、透明板３５の直下の位置である図４に示す読取位置ＳＰに配置される。
【００２５】
図４に示すように、ＡＤＦ１６は、原稿トレイ１７にセットされた原稿Ｄを搬送経路Ｔに沿って搬送する搬送部４６を備える。搬送経路Ｔは、原稿トレイ１７から排出部１８に向けてＵ字状に湾曲するように延びている。搬送部４６は、原稿トレイ１７から給送した原稿Ｄを、途中で読取位置を経由する反転を伴う搬送経路Ｔで排出部１８まで搬送する。
【００２６】
搬送部４６は、複数のローラーにより構成されている。搬送部４６を構成するローラーは、回転することによって原稿Ｄを搬送する。これらのローラーは、搬送経路Ｔに沿って配置されている。搬送部４６の搬送経路Ｔには、原稿トレイ１７側から排出部１８側に向かって順に、給送ローラー５０、セパレートローラー５１、第１ガイドローラー５２、第２ガイドローラー５３、第３ガイドローラー５４、送りローラー５５、及び、排出ローラー５６が配置されている。
【００２７】
給送ローラー５０は、原稿トレイ１７に積載される原稿Ｄに対して上方から接触可能な位置に配置されている。給送ローラー５０は、原稿Ｄに接触した状態で回転することによって、原稿トレイ１７から搬送経路Ｔへ原稿Ｄを供給する。給送ローラー５０は、原稿トレイ１７に複数の原稿Ｄが積載される場合、その最上位に位置する原稿Ｄから順に給送する。
【００２８】
セパレートローラー５１は、給送ローラー５０から給送される原稿Ｄが複数に重なっている場合、それら複数の原稿Ｄを１枚ずつに分離させて搬送する。そのため、セパレートローラー５１と対向する位置には、原稿Ｄを分離させるための分離ローラー５１Ａが配置されている。セパレートローラー５１及び分離ローラー５１Ａは、搬送経路Ｔを挟み込むように配置されている。分離ローラー５１Ａは、セパレートローラー５１が原稿Ｄを搬送する際に、摩擦力を作用させて原稿Ｄを１枚ずつに分離させる。
【００２９】
第１ガイドローラー５２は、第１駆動ローラー５２Ａと第１従動ローラー５２Ｂとを含み、セパレートローラー５１及び分離ローラー５１Ａにより分離された原稿Ｄを挟持した状態で回転する。第１ガイドローラー５２は、搬送される原稿Ｄに対して駆動力を付与することによって、原稿Ｄを第２ガイドローラー５３に向けて搬送する。
【００３０】
第２ガイドローラー５３は、第２駆動ローラー５３Ａと第２従動ローラー５３Ｂとを含み、第１ガイドローラー５２により搬送される原稿Ｄを挟持した状態で回転する。第２ガイドローラー５３は、搬送される原稿Ｄに対して駆動力を付与することによって、原稿Ｄを第３ガイドローラー５４に向けて搬送する。
【００３１】
第３ガイドローラー５４は、第３駆動ローラー５４Ａと第３従動ローラー５４Ｂとを含み、第２ガイドローラー５３により搬送される原稿Ｄを挟持した状態で回転する。第３ガイドローラー５４は、搬送される原稿Ｄに対して駆動力を付与することによって、原稿Ｄを送りローラー５５に向けて搬送する。
【００３２】
送りローラー５５は、送り駆動ローラー５５Ａと送り従動ローラー５５Ｂとを含み、第３ガイドローラー５４により搬送される原稿Ｄを挟持した状態で回転する。送りローラー５５は、搬送される原稿Ｄに対して駆動力を付与することによって、第３ガイドローラー５４から搬送される原稿Ｄを排出ローラー５６に向けて搬送する。
【００３３】
排出ローラー５６は、排出駆動ローラー５６Ａと排出従動ローラー５６Ｂとを含み、送りローラー５５により搬送される原稿Ｄを挟持した状態で回転する。排出ローラー５６は、搬送される原稿Ｄに対して駆動力を付与することによって、原稿Ｄを排出部１８に向けて排出する。
【００３４】
図４に示すように、ＡＤＦ１６は、搬送経路Ｔの途中で原稿Ｄを読み取る第２読取部４２を備える。第２読取部４２は、搬送経路Ｔにおける送りローラー５５と排出ローラー５６との間となる位置に配置され、搬送経路Ｔを搬送される原稿Ｄの第２面の画像を読み取る。原稿Ｄの第２面は、第１読取部４１が読取位置ＳＰで読み取る原稿Ｄの第１面とは反対側の面である。第２読取部４２は、原稿Ｄの第２面の画像を読み取る第２センサー５７を有している。複合機１１は、両面読取命令を受信した場合、原稿トレイ１７から給送した原稿Ｄの第１面と第２面との両面を読み取る。
【００３５】
図５は、ガラス３４、透明板３５及び枠体３３を取り外した原稿読取装置１４を示す。図５に示すように、原稿読取装置１４を構成する原稿台３１は、四角枠状のフレーム枠６０を有し、その側方が全周を囲む四角枠状の合成樹脂製の外装カバー１２Ｂで覆われている。フレーム枠６０の下側には合成樹脂製のハウジング３８の底部６１が配置されており、ハウジング３８内にフレーム枠６０と底部６１とにより上方に向かって開口する収容室６２が形成されている。収容室６２内には、第１読取部４１が幅方向Ｙに往復移動可能に設けられている。第１読取部４１は、収容室６２内に幅方向Ｙに延びるように架設されたレール６３に沿って移動可能に設けられたキャリッジ４５と、キャリッジ４５に搭載されたライン状の第１センサー４４と、キャリッジ４５に搭載されたライン状の光源４７とを有している。光源４７は、原稿台３１のガラス３４上にセットされた原稿Ｄの読取対処エリアに光を照射する。キャリッジ４５は、収容室６２内でレール６３に沿って張設された無端状の搬送ベルト６４の一部に固定され、キャリッジ４５の動力源である不図示の電動モーターの駆動により、搬送ベルト６４が正逆転することで、キャリッジ４５は幅方向Ｙに往復移動する。
【００３６】
ところで、読取装置１３はビジネス用途で使用される場合、高速スキャンが要求される。そして、複合機１１はビジネス用途で使用される場合、高速コピー印刷が要求される。読取装置１３は、高速スキャンに対応するため、ＡＤＦ１６の補強及び搬送部４６の動力源であるモーターの大型化が必要になる。このため、ＡＤＦ１６の重量が大きくなる。
【００３７】
図６、図７は、原稿読取装置１４から筐体１２の外装等を構成する合成樹脂製の部材を取り外したフレーム構造を示している。図６、図７に示すように、原稿読取装置１４は、フレーム構造の１つとして、原稿台３１を構成する四角枠状のフレーム枠６０を有する。フレーム枠６０は、一対のヒンジ３０が配置される後側の位置に、幅方向Ｙに沿って延びる長尺状の第１フレーム７１（リアフレーム）を有している。一対のヒンジ３０は奥行方向Ｘに間隔を開けて配置されている。一対のヒンジ３０は、フレーム枠６０の第１フレーム７１と幅方向Ｙに対向する位置に幅方向Ｙに沿って延びる状態で配置された長尺状の第２フレーム７２に固定されている。第２フレーム７２は、第１フレーム７１の後側の位置に第１フレーム７１と平行に配置されている。
【００３８】
ここで、読取装置１３は、筐体１２を構成し原稿台３１を支持する第１フレーム７１と、筐体１２を構成しヒンジ３０が固定された第２フレーム７２とを有している。詳しくは、フレーム枠６０は、第１フレーム７１と、第１フレーム７１に対して第２フレーム７２と反対側で対向する位置に平行に配置された第３フレーム７３と、第１フレーム７１と第３フレーム７３のそれぞれの両端部と固定され、第１フレーム７１と第３フレーム７３との長手方向と交差する方向に延びる一対の第４フレーム７４とを有する。ここで、第１フレーム７１はフレーム枠６０の後部を構成するリアフレームであり、第３フレーム７３はフレーム枠６０の前部を構成するフロントフレームである。また、一対の第４フレーム７４は、フレーム枠６０の幅方向Ｙの両側部を構成する一対のサイドフレームである。
【００３９】
第１フレーム７１及び第３フレーム７３は、長手方向と交差する方向で切った断面の形状がＵ字状で、Ｕ字状の部分の開口を内方に向けた向きに配置されている。第１フレーム７１は、下側に配置された断面Ｌ字状のロアフレーム７１Ａと、上側に配置された断面Ｌ字状のアッパーフレーム７１Ｂとをねじ７５で締結することで断面Ｕ字状に形成されている。また、第３フレーム７３は、下側に配置された断面Ｌ字状のロアフレーム７３Ａと、上側に配置された断面Ｌ字状のアッパーフレーム７３Ｂとをねじ７６で締結することで断面Ｕ字状に形成されている。
【００４０】
図６に示すように、第１フレーム７１のＵ字状の部分には、１つ又は複数の柱部材７７が介在している。図６に示す例では、柱部材７７は、第１フレーム７１の長手方向（幅方向Ｙ）の異なる位置に複数設けられている。柱部材７７は、Ｕ字状の部分に配置されたときの鉛直方向Ｚの寸法である高さ寸法が精度よく形成されている。第１フレーム７１を構成するロアフレーム７１Ａとアッパーフレーム７１Ｂとの鉛直方向Ｚの相対位置を、間に介在される柱部材７７の上端面と下端面とが接触する状態に調整した状態でねじ７５を締結することで、第１フレーム７１の上端面７１Ｃの高さ位置を位置出ししている。このため、第１フレーム７１の上端面７１Ｃの高さ位置を精度よく位置出しできる。第１フレーム７１の上端面７１Ｃは、第４フレーム７４の上端面よりも若干高く位置する。
【００４１】
図６に示すように、第３フレーム７３も第１フレーム７１と同様に構成されている。すなわち、第３フレーム７３のＵ字状の部分には、１つ又は複数の柱部材７８が介在している。図６に示す例では、柱部材７８は、第３フレーム７３の長手方向（幅方向Ｙ）の異なる位置に複数設けられている。柱部材７８は、Ｕ字状の部分に配置されたときの鉛直方向Ｚの寸法である高さ寸法が精度よく形成されている。第３フレーム７３を構成するロアフレーム７３Ａとアッパーフレーム７３Ｂとの鉛直方向Ｚの相対位置を、間に介在される柱部材７８の上端面と下端面とが接触する状態に調整した状態でねじ７６を締結することで、第３フレーム７３の上端面７３Ｃの高さ位置を位置出ししている。このため、第３フレーム７３の上端面７３Ｃの高さ位置を精度よく位置出しできる。第３フレーム７３の上端面７３Ｃは、第４フレーム７４の上端面よりも若干高く位置する。このように一対のフレーム７１，７３は、長手方向と交差する断面の形状がＵ字状を有し、本実施形態では、一対のフレーム７１，７３の両方にそれぞれのＵ字状の部分に柱部材７７，７８を介在させている。
【００４２】
第１フレーム７１の上端面７１Ｃと第３フレーム７３の上端面７３Ｃの高さ位置は同じであり、上端面７１Ｃと上端面７３Ｃによりガラス３４の組付高さが決まる。上端面７１Ｃと上端面７３Ｃとの高さ位置の精度が出ることにより、ガラス３４及び透明板３５は鉛直方向Ｚに位置精度よく位置きめされる。このため、複合機１１が水平に配置されれば、ガラス３４及び透明板３５は水平に配置される。なお、ガラス３４及び透明板３５は、上端面７１Ｃに上方に突出する２つの位置決めピン７９により奥行方向Ｘ及び幅方向Ｙに位置決めされる。
【００４３】
また、図６に示すように、一対の第４フレーム７４は、それぞれ第１フレーム７１の両端部及び第３フレーム７３の両端部と複数のねじ６６の締結により固定されている。また、一対の第４フレーム７４は、ヒンジ３０が位置する後方へは第１フレーム７１を超える位置まで延び、それぞれの後端部が第２フレーム７２の両端部と複数のねじ６７の締結により固定されている。すなわち、本実施形態では、原稿台３１のフレーム枠６０は、フレーム枠６０を第１フレーム７１とともに構成し第１フレーム７１の長手方向と交差する方向に延びる一対のサイドフレームとして一対の第４フレーム７４を備える。そして、第２フレーム７２は、一対の第４フレーム７４と固定されている。ここで、ヒンジ３０にかかる回動トルクの腕の方向に長い第４フレーム７４は、回動トルクに対する剛性が高い。第２フレーム７２を、この回動トルクに対する剛性の高い第４フレーム７４に固定し、第１フレーム７１とは離間させることで、第１フレーム７１への変形を抑える。なお、第２フレーム７２は、ヒンジ３０に対してねじ６８の締結により固定されている。
【００４４】
図７、図８に示すように、第１フレーム７１と第２フレーム７２との間に、隙間Ｇ１が形成されている。第２フレーム７２は、フレーム枠６０に対しては一対の第４フレーム７４と固定されている。ここで、隙間Ｇ１は、カバー１５が開けられたときにヒンジ３０からＡＤＦ１６の重量により第２フレーム７２が受ける回動トルクにより、第２フレーム７２が最大限に変形しても、第２フレーム７２が第１フレーム７１と接触しない隙間寸法に設定されている。
【００４５】
また、図８〜図９に示すように、ハウジング３８の底部６１には、第２フレーム７２と第４フレーム７４と対向するそれぞれの位置に、第２フレーム７２と第４フレーム７４が変形したときに当たる度当て部の一例としての突部６１Ａ，６１Ｂがそれぞれ設けられている。すなわち、第２フレーム７２とフレーム枠６０の下方に位置する底部６１には、第２フレーム７２と対向する位置に突部６１Ａが位置し、第４フレーム７４のヒンジ３０寄りの部分と対向する位置に突部６１Ｂが位置する。突部６１Ａ，６１Ｂは、第２フレーム７２と第４フレーム７４の各下面に対して隙間を介した下方に配置されている。本例では、突部６１Ａ，６１Ｂは、底部６１の上面から突出するリブよりなる。
【００４６】
図９に示すように、原稿台３１の左後端部には、第２フレーム７２と対向する位置に隙間を介して突部６１Ｂが配置されている。また、図１０に示すように、原稿台３１の右後端部には、第２フレーム７２と対向する位置に隙間を介して突部６１Ｂが配置されている。図９、図１０に示す例では、第２フレーム７２の下側に第４フレーム７４が重なって位置する部分の下方に突部６１Ａが配置されているので、第２フレーム７２と重なる第４フレーム７４の部分と下方に対向する位置に隙間を介して突部６１Ｂが配置されている。すなわち、第２フレーム７２と重なる第４フレーム７４の部分と突部６１Ｂとの間に必要な寸法の隙間が設けられている。この点で、第４フレーム７４のヒンジ３０寄りの部分（後部分）の下方に必要な寸法の隙間を隔てて突部６１Ａ，６１Ｂが位置する構成とも言える。このように本例では、左右一対の第４フレーム７４のヒンジ３０寄りの部分の下方に左右２つずつ計４つの突部６１Ａ，６１Ｂを設けている。
【００４７】
ＡＤＦ１６の閉状態では、第４フレーム７４と突部６１Ａ，６１Ｂとの間に隙間があり、ＡＤＦ１６を開けてその自重が後側に移り、ＡＤＦ１６の重量がかかって第２フレーム７２と第４フレーム７４が下方へ変形したときに、各フレーム７２，７４を突部６１Ａ，６１Ｂで受ける。隙間は、公差上、ＡＤＦ１６の閉状態において第４フレーム７４が突部６１Ａ，６１Ｂと当たらない寸法に設定されている。これは、ＡＤＦ１６の閉状態で隙間がを設定せず当たった状態にあると、公差内のばらつきでフレーム枠６０が変形してその上面に保持されたガラス３４の位置が鉛直方向Ｚにずれ、ガラス３４の初期位置の精度が低下する恐れがあるからである。ガラス３４の初期位置の精度を高くするため、ＡＤＦ１６の閉状態において、第４フレーム７４のヒンジ３０寄りの部分と突部６１Ａ，６１Ｂとの間に隙間を設けている。なお、第４フレーム７４が第２フレーム７２の下側に重ならず、第２フレーム７２が突部６１Ａと対向する構成や、突部６１Ａが第４フレーム７４と重ならない第２フレーム７２の部分と対向する位置に配置された構成の場合は、第２フレーム７２の下方に隙間を介して突部６１Ａが配置される。
【００４８】
図１１は、ＡＤＦ１６の外装カバーを取り外した状態を示す。図１１に示すように、ＡＤＦ１６は、搬送部４６を支持するフレーム８０を有する。フレーム８０は、回動半径方向に所定の間隔を隔てて対向する一対の側板フレーム８１と、一対の側板フレーム８１を支持する複数の支持フレーム８２とを有している。側板フレーム８１の外側には、歯車機構８３、搬送部４６の駆動源となる不図示の電動モーター及び各種のセンサー８４を含む複数の部品が組み付けられている。また、フレーム８０には、搬送部４６を覆うとともに搬送経路Ｔ（図４参照）を形成する複数のホルダー部材８５が取り付けられている。
【００４９】
図１２に示すように、ヒンジ３０は、相対回動可能に連結された第１部材３０Ａと第２部材３０Ｂとを備える。第１部材３０Ａが第２フレーム７２に固定されている。また、第２部材３０ＢがＡＤＦ１６及びカバー１５を支持している。ＡＤＦ１６は、第２部材３０Ｂに固定された状態でカバー１５の回動半径方向に延伸する補強フレーム８６を備える。ＡＤＦ１６のフレーム８０は、補強フレーム８６と固定されている。なお、カバー１５を閉じた図１２に示す閉状態では、回動半径方向は奥行方向Ｘに一致する。
【００５０】
図１２に示すように、補強フレーム８６は、回動半径方向にＡＤＦ１６及びカバー１５の重心位置ＣＧを超える位置まで延伸している。本例では、補強フレーム８６は、その先端が、ＡＤＦ１６の回動半径方向の先端側となる手掛け側の側板フレーム８１に接触するか又は僅かに隙間を隔てた位置まで延伸している。
【００５１】
図１２、図１３に示すように、ＡＤＦ１６のフレーム８０は、図１１に示す支持フレーム８２の他に、一対の側板フレーム８１を支持する支持フレーム８２Ａを備える。支持フレーム８２Ａは、側板フレーム８１の高さ方向、つまりＡＤＦ１６の回動円弧の接線方向の中間位置よりも下方の位置で側板フレーム８１に固定されている。また、図１３に示すように、支持フレーム８２Ａは、幅方向Ｙにおいて側板フレーム８１に対して原稿トレイ１７（図１１参照）側と反対側寄りに位置に固定されている。補強フレーム８６は、支持フレーム８２Ａの上方に位置している。補強フレーム８６は、支持フレーム８２Ａに対して回動半径方向の両端部の二箇所で固定され、両端部の固定箇所の間の範囲の少なくとも一部で支持フレーム８２Ａとの間に隙間Ｇ２を隔てて配置されている。
【００５２】
図１２に示すように、支持フレーム８２Ａは、その長手方向の両端部に補強フレーム８６に向かって突出する一対の突部８７を有している。本例では、一対の突部８７は、支持フレーム８２Ａの板金を絞り成形して設けた円錐台形状の絞り部よりなる。そして、補強フレーム８６は支持フレーム８２Ａに対して絞り部よりなる一対の突部８７に接触する状態で、一対の突部８７にねじ８８を締結することで支持フレーム８２Ａに対して固定されている。そのため、補強フレーム８６と支持フレーム８２Ａは、一対の突部８７の間で隙間Ｇ２を隔てている。例えば、ＡＤＦ１６を開けたときに補強フレーム８６がＡＤＦ１６の重量で長手方向の中央部が上方へ膨らむ湾曲状に変形しても、支持フレーム８２Ａが補強フレーム８６の変形により上向きの力を受けて変形することが抑制される。
【００５３】
図４、図１３に示すように、補強フレーム８６は、回動半径方向と交差する方向の断面の形状がＵ字状である。図１２、図１３に示すように、補強フレーム８６は、補強フレーム８６よりも下方に位置する支持フレーム８２Ａに対して、Ｕ字状の底部８６Ａにてねじ部材の一例としてのねじ８８により固定されている。ねじ８８は、ＡＤＦ１６の回動円弧の底部８６Ａにおける接線方向を軸線方向とする向きに締結されている。換言すれば、ＡＤＦ１６の閉状態においてねじ８８はその軸線方向を鉛直方向Ｚに一致させた向きで締結され、補強フレーム８６と支持フレーム８２Ａとを固定している。
【００５４】
図４に示すように、ＡＤＦ１６内において、搬送経路Ｔの途中で原稿Ｄを読み取る第２読取部４２は、奥行方向Ｘにおいて、読取位置ＳＰにあるときの第１読取部４１と異なる位置に配置されている。補強フレーム８６は、ＡＤＦ１６における回動半径方向と交差する幅方向Ｙにおいて読取位置にあるときの第１読取部４１と第２読取部４２とのそれぞれの外側端部の間の範囲ＳＡ内に配置されている。ここで、範囲ＳＡは、図４に示す例では、読取位置にある第１読取部４１の原稿トレイ１７側と反対側の第１端部と、第２読取部４２の原稿トレイ１７側の第２端部とを含む第１端部から第２端部までの範囲となる。図４に示す例では、補強フレーム８６は、幅方向Ｙに全部が範囲ＳＡ内に位置する。なお、補強フレーム８６の幅方向Ｙにおける位置は、補強フレーム８６の全部が範囲ＳＡ内にある必要はなく補強フレーム８６の一部が範囲ＳＡ内にあればよい。
【００５５】
次に、複合機１１の作用について説明する。
複合機１１は、ユーザーによる操作部２３の操作又は不図示のホスト装置の操作により、読取命令又はコピー命令を受信すると、指示された読取動作又はコピー動作を行う。ユーザーは操作の前に予め原稿Ｄを原稿台３１のガラス３４の上面にセットしたり、原稿トレイ１７に原稿Ｄを１枚又は複数枚セットしたりする。ユーザーが原稿Ｄを原稿台３１にセットする際は、図３に示すようにカバー１５を開けて原稿台３１のガラス３４を露出させ、原稿Ｄをガラス３４上に枠体３３に辺を揃えて所定位置にセットする。
【００５６】
このように原稿台３１に原稿Ｄをセットする度、及び原稿台３１から原稿Ｄを取り出す度に、ユーザーによるＡＤＦ１６の開閉が行われる。こうして複合機１１では、ＡＤＦ１６の開閉が繰り返し行われる。図３に示すＡＤＦ１６の開状態では、カバー１５及びＡＤＦ１６の重量をヒンジ３０が受けるので、ヒンジ３０を介してその荷重を原稿台３１が受けることになる。
【００５７】
本実施形態の読取装置１３では、原稿台３１を支持する第１フレーム７１と、ヒンジ３０を固定する第２フレーム７２とが分けられている。そのため、ＡＤＦ１６を搭載するカバー１５を開閉するときにＡＤＦ１６及びカバー１５の荷重がヒンジ３０を介して原稿台３１を支持する第１フレーム７１に伝わり難くなる。この結果、この種の荷重に起因する第１フレーム７１の変形を防ぎ、第１フレーム７１に支持された原稿台３１の位置ずれが抑制される。よって、原稿台３１にセットされる原稿Ｄの位置ずれが抑制されるうえ、原稿台３１内の第１読取部４１の位置ずれが抑制される。
【００５８】
原稿台３１の変形は、例えば、原稿台３１のガラス３４上に枠体３３の辺に揃えて所定位置にセットされた原稿Ｄの位置ずれを招く。この場合、第１読取部４１が原稿Ｄのずれた領域を読み取ってしまい、得られた読取画像が位置ずれする。また、原稿台３１の変形は、例えば、原稿台３１内で第１読取部４１の奥行方向Ｘの両端部で高さ位置の差を生じさせ、第１読取部４１とガラス３４との平行度が低下する。この場合、第１読取部４１の異なる二箇所で、第１読取部４１からガラス３４上の所定位置にセットされた原稿Ｄまでの距離に差が生じ、原稿Ｄの位置が部分的に焦点距離からずれる恐れがある。特に第１読取部４１が、ＣＣＤに比べ、被写界深度の浅いＣＩＳである場合、ガラス３４上の原稿Ｄ又は給送されて開口３７から露出する原稿Ｄの部分が、第１読取部４１の被写界深度内に収まらず、原稿Ｄの読取画像が部分的にぼけてしまう。しかし、本実施形態では、原稿台３１の変形が抑制されるため、第１読取部４１とガラス３４との平行度が保たれるうえ、第１読取部４１とガラス３４との距離が予め定められた一定範囲内に保たれる。よって、原稿台３１上にセットされた原稿Ｄも、ＡＤＦ１６が搬送した原稿Ｄも、これらの原稿Ｄを読み取った際に良質な読取画像が得られる。
【００５９】
また、第１フレーム７１と第２フレーム７２の間に隙間Ｇ１があるため、ＡＤＦ１６及びカバー１５を開閉するときに、それらの荷重に起因し第２フレーム７２が変形しても、変形した第２フレーム７２が第１フレーム７１に接触しない。このため、変形した第２フレーム７２が第１フレーム７１に接触したことに起因し第１フレーム７１が変形することを回避できる。この点から、第１フレーム７１に固定された原稿台３１の位置ずれが効果的に抑制される。この結果、原稿台３１の位置ずれに起因する読取画像の位置ずれ及び画質の低下を一層確実に抑制できる。
【００６０】
さらに、読取装置１３では、原稿台３１に対してカバー１５が閉じた状態でヒンジ３０を介したカバー１５の回動半径方向が長手方向となりカバー回動時のトルクに強い方向に延びた一対の第４フレーム７４（サイドフレーム）と第２フレーム７２は固定される。そのため、カバー１５の開閉が繰り返し行われても、ヒンジ３０を介して伝わる荷重は回動トルクに対する剛性の高い第４フレーム７４が受けるので、原稿台３１の変形又は位置ずれが抑制される。
【００６１】
また、ＡＤＦ１６のフレーム８０は、ヒンジ３０を構成する第２部材３０Ｂに固定された状態でカバー１５の回動半径方向に延伸する補強フレーム８６に固定されているので、ＡＤＦ１６及びカバー１５の開閉を繰り返しても、ＡＤＦ１６の変形が抑制される。このため、ＡＤＦ１６が原稿台３１上へ原稿Ｄを給送したとき、カバー１５の回動半径方向両端部での原稿Ｄと第１読取部４１との距離の差が小さく抑制される。よって、第１読取部４１が原稿Ｄを読み取った際に、原稿Ｄの全体がぼけのない高画質な画像として読み取られる。
【００６２】
よって、スキャン又はコピーの高速化の要求からＡＤＦ１６の重量が大きくなっても、ユーザーが読取動作を指示した際は、原稿Ｄの高画質な読取画像を高速に取得でき、ユーザーがコピーを指示した際は、原稿Ｄの高画質なコピーを高速に取得できる。
【００６３】
上記実施形態によれば、以下のような効果を得ることができる。
（１）読取装置１３は、原稿Ｄを載置する原稿台３１を有する筐体１２と、筐体１２の上部においてヒンジ３０を介して回動するカバー１５と、カバー１５に搭載されたＡＤＦ１６と、原稿台３１に載置された原稿Ｄ及びＡＤＦ１６が給送した原稿Ｄを読み取る第１読取部４１とを有する。また、読取装置１３は、筐体１２を構成し原稿台３１を支持する第１フレーム７１と、筐体１２を構成しヒンジ３０が固定された第２フレーム７２と、を有する。よって、読取装置１３は、原稿台３１を支持する第１フレーム７１が、ヒンジ３０を固定する第２フレーム７２と分けられているので、ＡＤＦ１６を搭載するカバー１５を開閉するときにＡＤＦ１６及びカバー１５の荷重がヒンジ３０を介して原稿台３１を支持する第１フレーム７１に伝わり難くなる。この結果、この種の荷重に起因する第１フレーム７１の変形を抑制し、第１フレーム７１に支持された原稿台３１の位置ずれが抑制される。よって、原稿台３１にセットされた原稿Ｄの位置ずれを抑制できる。したがって、原稿台３１とＡＤＦ１６とを備えた読取装置１３において、原稿Ｄの良質な読取画像を得ることができる。
【００６４】
（２）読取装置１３は、第１フレーム７１と第２フレーム７２との間に、隙間Ｇ１が形成されている。よって、ＡＤＦ１６及びカバー１５を開閉するときに、それらの荷重に起因し第２フレーム７２が変形しても、変形した第２フレーム７２が第１フレーム７１に接触しにくい。このため、変形した第２フレーム７２が第１フレーム７１に接触したことに起因し第１フレーム７１が変形することを回避できる。この結果、第１フレーム７１に支持された原稿台３１の位置ずれが抑制される。原稿台３１の位置ずれに起因する読取画像の画質の低下を一層確実に抑制できる。
【００６５】
（３）読取装置１３は、筐体１２を構成し原稿台３１のフレーム枠６０を第１フレーム７１とともに構成し当該第１フレーム７１の長手方向と交差する方向に延びる一対のサイドフレームを備える。第２フレーム７２は、一対のサイドフレームと固定されている。よって、読取装置１３において、原稿台３１に対してカバー１５が閉じた状態でヒンジ３０を介したカバー１５の回動半径方向が長手方向となりカバー１５回動時のトルクに強い方向に延びた一対のサイドフレームと固定されるので、カバー１５の開閉の繰り返しによる原稿台３１の変形又は位置ずれを抑制できる。
【００６６】
（４）原稿台３１は、第１読取部４１を移動可能に収容するハウジング３８を備える。ハウジング３８の底部６１には、第２フレーム７２とサイドフレームの一例である第４フレーム７４との両方と対向する位置に、これらが下方へ変形したときにそれぞれ当たる度当て部の一例としての突部６１Ａ，６１Ｂが設けられている。よって、カバー１５を開けたときにＡＤＦ１６の重量によってヒンジ３０を介して伝わる回動トルクにより、仮に第２フレーム７２と第４フレーム７４のうち一方又は両方が下方へ変形しても、それぞれ突部６１Ａ，６１Ｂに当たることで、第２フレーム７２と第４フレーム７４の変形量が所定量以下に抑えられる。この結果、原稿台３１の位置ずれが抑制される。したがって、原稿台３１の位置ずれに起因する原稿Ｄの読取画像の画質の低下を一層効果的に抑制できる。
【００６７】
（５）原稿台３１は、第１フレーム７１と、第１フレーム７１に対して第２フレーム７２と反対側で対向する位置に平行に配置された第３フレームとを含む一対のフレーム７１，７３を有している。一対のフレーム７１，７３は、長手方向と交差する断面の形状がＵ字状を有している。一対のフレーム７１，７３のうち一方又は両方のＵ字状の部分には柱部材７７，７８が介在する。よって、原稿台３１を構成する前後一対のフレーム７１，７３のうち一方又は両方には、Ｕ字状の部分に柱部材７７，７８が介在している。このため、柱部材７７，７８が介在するフレーム７１，７３に上から荷重がかかってもそのフレーム７１，７３は変形しにくい。例えば、第１フレーム７１に柱部材７７が介在されている場合、第１フレーム７１にＡＤＦ１６及びカバー１５の荷重がヒンジ３０を介してかかっても、第１フレーム７１のＵ字状の部分に介在する柱部材７７によって、第１フレーム７１の変形を抑制できる。また、例えば、第３フレーム７３に柱部材７８が介在されている場合、ユーザーがＡＤＦ１６及びカバー１５のヒンジ３０と反対側の部分（前部）を下方へ押さえても、第３フレーム７３のＵ字状の部分に介在する柱部材７８によって、第３フレーム７３の変形を抑制できる。
【００６８】
（６）ヒンジ３０は、相対回動可能に連結された第１部材３０Ａと第２部材３０Ｂとを有する。第１部材３０Ａが第２フレーム７２に固定され、第２部材３０ＢがＡＤＦ１６及びカバー１５を支持する。読取装置１３は、第２部材３０Ｂに固定された状態でカバー１５の回動半径方向に延伸する補強フレーム８６を備える。ＡＤＦ１６のフレーム８０は、補強フレーム８６と固定されている。よって、ＡＤＦ１６のフレーム８０が、ヒンジ３０を構成する第２部材３０Ｂに固定された状態でカバー１５の回動半径方向に延伸する補強フレーム８６に固定されているので、ＡＤＦ１６及びカバー１５の開閉が繰り返されても、ＡＤＦ１６の変形を抑制できる。この結果、ＡＤＦ１６が原稿台３１上へ原稿Ｄを給送したとき、カバー１５の回動半径方向両端部での原稿Ｄと第１読取部４１との距離の差が小さく抑制される。よって、原稿Ｄのカバー回動半径方向の全体が第１読取部４１の被写界深度内に入るので、原稿Ｄの全体をぼけの少ない高画質な画像として読み取ることができる。したがって、原稿台３１とＡＤＦ１６とを備えた読取装置１３において、原稿Ｄの良質な読取画像を得ることができる。
【００６９】
（７）補強フレーム８６は、回動半径方向にＡＤＦ１６及びカバー１５の重心位置を超える位置まで延伸している。よって、ＡＤＦ１６及びカバー１５の重心にかかる荷重を補強フレーム８６が受けるので、ＡＤＦ１６及びカバー１５の開閉の繰り返しによる変形をより効果的に抑制できる。よって、ＡＤＦ１６が読取位置へ給送した原稿Ｄのカバー回動半径方向の両端部での第１読取部４１との距離の差が小さく抑制される。この結果、原稿Ｄの全体をぼけの一層少ない高画質な画像として読み取ることができる。
【００７０】
（８）原稿台３１に移動可能に収容される第１読取部４１と、ＡＤＦ１６において搬送経路Ｔの途中で原稿Ｄを読み取る第２読取部４２を備える。補強フレーム８６は、ＡＤＦ１６における回動半径方向と交差する幅方向において、ＡＤＦ１６により搬送された原稿Ｄを読み取る読取位置にある第１読取部４１と第２読取部４２とのそれぞれの外側端部の間の範囲に配置されている。よって、補強フレーム８６は、ＡＤＦ１６の幅方向において読取位置にある第１読取部４１と第２読取部４２とのそれぞれの外側端部の間の範囲に配置されている。このため、第１読取部４１と第２読取部４２との周辺部分の変形が、補強フレーム８６によって小さく抑制される。よって、ＡＤＦ１６が搬送した原稿Ｄの例えば第１面を第１読取部４１が読取位置で読み取るときも、ＡＤＦ１６が搬送した原稿Ｄの例えば第２面をその搬送経路Ｔの途中で第２読取部４２が読み取るときも、原稿Ｄを高い読取精度で読み取ることができる。
【００７１】
（９）ＡＤＦ１６のフレーム８０は、回動半径方向の両側に配置された一対の側板フレーム８１と、一対の側板フレーム８１を支持する支持フレーム８２Ａと、を有している。補強フレーム８６は、支持フレーム８２Ａの上方に位置し、支持フレーム８２Ａに対して回動半径方向の両端部で固定され、両端部の固定箇所の間の範囲の少なくとも一部で支持フレーム８２Ａと隙間Ｇ２を隔てて配置されている。よって、支持フレーム８２Ａが補強フレーム８６により補強されるうえ、仮に支持フレーム８２Ａが変形して、支持フレーム８２Ａの両端部の間の部分が補強フレーム８６に接近する方向に変位しても、隙間Ｇ２の存在により、支持フレーム８２Ａが補強フレーム８６に接触してこれを押すことが回避される。この結果、支持フレーム８２Ａの変形した部分が補強フレーム８６に当たることによるＡＤＦ１６の変形を抑制できる。
【００７２】
（１０）補強フレーム８６は、回動半径方向と交差する方向の断面の形状がＵ字状であって、補強フレーム８６よりも下方に位置する支持フレーム８２Ａに対して、Ｕ字状の底部にて、回動半径の接線方向を軸線方向とするねじ部材の一例としてのねじ８８により固定されている。よって、カバー１５がヒンジ３０を介して回動するときに仮に補強フレーム８６が湾曲しても、補強フレーム８６と支持フレーム８２Ａとのねじ８８による固定位置がずれにくい。ねじ８８の締結による補強フレーム８６と支持フレーム８２Ａとの固定箇所の位置決めは、締結箇所での面と面の摩擦により行われ、補強フレーム８６が湾曲して変位する方向がその摩擦面と平行な方向であると、固定位置がずれてしまう。しかし、補強フレーム８６が湾曲して変位する方向が、ねじ８８の締結による摩擦面と平行な方向ではなく、ねじ８８の軸線方向なので、固定位置がずれにくい。なお、カバー１５の開き角度が小さいときにモーメントの関係で補強フレーム８６は湾曲しやすく、また閉じた状態でもユーザーがカバー１５の回動先端部分を押さえたときに補強フレーム８６は湾曲しやすい。
【００７３】
（１１）複写装置の一例である複合機１１は、読取装置１３と、読取装置１３の第１読取部４１が読み取った原稿Ｄの画像を媒体に記録する記録部２６を筐体１２内に有する記録装置２９と、を有する。読取装置１３の下方に記録装置２９が配置されている。よって、読取装置１３が原稿Ｄを高い精度で読み取った画像を記録部が媒体に記録することにより、複写装置の一例である複合機１１によって原稿Ｄを位置ずれや画質の低下が抑制された高い精度で複写することができる。
【００７４】
なお、上記実施形態は以下に示す変更例のような形態に変更することもできる。さらに、上記実施形態および以下に示す変更例を適宜組み合わせたものを更なる変更例とすることもできるし、以下に示す変更例同士を適宜組み合わせたものを更なる変更例とすることもできる。
【００７５】
・読取装置１３は、複写装置の一例である複合機１１に備えられる構成に限定されない。読取装置は、例えば、図１４、図１５に示すスキャナー装置１００であってもよい。スキャナー装置１００は、原稿台３１を有する筐体１２と、筐体１２の上部においてヒンジ３０（図１５参照）を介して回動するカバー１５と、カバー１５に搭載された給送部の一例としてのＡＤＦ１６とを備える。ＡＤＦ１６は、カバー１５を開けると露出する原稿台３１のガラス３４上に載置された原稿Ｄを読み取るフラットベッド型のスキャナー機能と、原稿トレイ１７にセットされた複数枚の原稿ＤをＡＤＦ１６により１枚ずつ自動で給送して搬送途中で原稿Ｄを読み取るシートフィーダー型のスキャナー機能とを備える。スキャナー装置１００は、筐体１２を構成し原稿台３１を支持する第１フレーム７１（図６参照）と、筐体１２を構成しヒンジ３０が固定された第２フレーム７２とを有する。すなわち、原稿台３１は、前記実施形態と同様に、図６等に示すように、第１フレーム７１、第３フレーム７３及び一対の第４フレーム７４を含むフレーム枠６０と、ヒンジ３０が固定された第２フレーム７２とを有する。そして、第１フレーム７１と第２フレーム７２は、奥行方向Ｘに隙間Ｇ１（図７、図８を参照）を介して対向している。このようにスキャナー装置１００は、前記実施形態の複合機１１の読取装置１３と同様の構造を有している。その他、ＡＤＦ１６も、補強フレーム８６を有する構造を有するなど、複合機１１の読取装置１３が備えるＡＤＦ１６と同様の構造を有している。なお、原稿読取装置１４には、ユーザーが読取動作などを指示する際に操作される操作部１０１が設けられている。
【００７６】
・第４フレーム７４の第１フレーム７１と対応する部分の下方のみに間隔を隔てて突部６１Ａを設けてもよい。また、第４フレーム７４の第２フレームと対応する部分の下方のみに間隔を隔てて突部６１Ｂを設けてもよい。また、第２フレーム７２における第４フレーム７４と重ならない部分の下方に突部６１Ｂを設けてもよい。さらに、第１フレーム７１の第４フレーム７４と重ならない部分の下方に隙間を隔てて突部を配置してもよい。
【００７７】
・突部６１Ａ，６１Ｂの配置位置は、原稿台３１の後部に限らず前部でもよい。例えば、第３フレーム７３の下方に突部を設けてもよい。すなわち、第４フレーム７４の第３フレーム７３と対応する部分の下方に間隔を隔てて突部を設けてもよい。また、第３フレーム７３の第４フレームと重ならない部分の下方に間隔を隔てて突部を設けてもよい。この構成によれば、ユーザーがスキャン又はコピー時にＡＤＦ１６の手掛け側である前部をユーザーが手で押さえて荷重をかけたときにも、突部で荷重を受けることができる。よって、原稿台３１を保持するフレーム枠６０が変形しにくくなり、原稿台３１の変形による第１読取部４１及びガラス３４等の位置ずれを抑えることができる。したがって、ＡＤＦ１６の手掛け側である前部をユーザーが押さえても、良質な読取画像を得ることができる。
【００７８】
・突部６１Ａ，６１Ｂは、ハウジング３８と別部材を底部６１に固定したものでもよい。
・一対のフレーム７１，７３のうち一方のみのＵ字状の部分に柱部材７７又は７８が介在する構成としてもよい。例えば、一対のフレーム７１，７３のうち第１フレーム７１のみのＵ字状の部分に柱部材７７が介在する構成とする。また、例えば、一対のフレーム７１，７３のうち第３フレーム７３のみのＵ字状の部分に柱部材７８が介在する構成とする。
【００７９】
・補強フレーム８６は、その先端部が手掛け側の側板フレーム８１に開口する孔を貫通する状態に延伸していてもよい。
・補強フレーム８６と支持フレーム８２Ａとが、両端部の固定箇所の間で固定されていなければ隙間Ｇ２がない状態で接触していてもよい。
【００８０】
・補強フレーム８６は、支持フレーム８２Ａの下方に配置されてもよく、両端部の固定箇所の間の範囲で隙間Ｇ２を隔てた状態で支持フレーム８２Ａに固定されてもよい。また、補強フレーム８６は、他の支持フレーム８２と固定されてもよい。
【００８１】
・補強フレーム８６は、長手方向と交差する断面の形状がＬ字状のフレームを２つ固定することで、断面がＵ字状に構成されてもよい。
・ねじ部材は、ねじ８８に替えてボルトでもよい。
【００８２】
・ＡＤＦ１６に補強フレーム８６を設ける構成では、フレーム枠６０の第１フレーム７１と、ヒンジ３０が固定された第２フレーム７２とを固定したり、フレーム枠６０の第１フレーム７１をヒンジ３０に固定したりしてもよい。これらの構成でも、補強フレーム８６によりＡＤＦ１６の変形を抑制し、ＡＤＦ１６が搬送する原稿Ｄを精度よく読み取ることができる。
【００８３】
前記実施形態および変更例から把握される技術思想を、その作用効果と共に以下に記載する。
読取装置は、原稿を載置する原稿台を有する筐体と、前記筐体の上部においてヒンジを介して回動するカバーと、前記カバーに搭載された給送部と、前記原稿台に載置された原稿及び前記給送部が給送した原稿を読み取る読取部と、前記筐体を構成し前記原稿台を支持する第１フレームと、前記筐体を構成し前記ヒンジが固定された第２フレームと、を有する。
【００８４】
この構成によれば、読取装置において、原稿台を支持する第１フレームが、ヒンジを固定する第２フレームと分けられているので、給送部を搭載するカバーを開閉するときに給送部及びカバーの荷重がヒンジを介して原稿台を支持する第１フレームに伝わり難くなる。この結果、この種の荷重に起因する第１フレームの変形を抑制し、第１フレームに支持された原稿台の位置ずれが抑制される。よって、原稿台にセットされた原稿の位置ずれを抑制できる。したがって、原稿台と給送部とを備えた読取装置において、原稿の良質な読取画像を得ることができる。
【００８５】
上記読取装置では、前記第１フレームと前記第２フレームとの間に、隙間が形成されてもよい。
この構成によれば、給送部及びカバーを開閉するときに、それらの荷重に起因し第２フレームが変形しても、変形した第２フレームが第１フレームに接触しにくい。このため、変形した第２フレームが第１フレームに接触したことに起因し第１フレームが変形することを回避できる。この結果、第１フレームに支持された原稿台の位置ずれが抑制される。原稿台の位置ずれに起因する読取画像の画質の低下を一層確実に抑制できる。
【００８６】
上記読取装置では、前記筐体を構成し前記原稿台のフレーム枠を前記第１フレームとともに構成し当該第１フレームの長手方向と交差する方向に延びる一対のサイドフレームを備え、前記第２フレームは、前記一対のサイドフレームと固定されてもよい。
【００８７】
この構成によれば、読取装置において、原稿台に対してカバーが閉じた状態でヒンジを介したカバーの回動半径方向が長手方向となりカバー回動時のトルクに強い方向に延びた一対のサイドフレームと第２フレームが固定されるので、カバーの開閉の繰り返しによる原稿台の変形又は位置ずれを抑制できる。
【００８８】
上記読取装置では、前記原稿台は、前記読取部を移動可能に収容するハウジングを備え、前記ハウジングの底部には、前記第２フレームと前記サイドフレームのうち一方又は両方と対向する位置には、当該一方又は両方が下方へ変形したときに当たる度当て部が設けられてもよい。
【００８９】
この構成によれば、カバーを開けたときに給送部の重量によってヒンジを介して伝わるトルクにより、仮に第２フレームとサイドフレームのうち一方又は両方が下方へ変形しても度当て部に当たることで、第２フレームとサイドフレームのうち一方又は両方の変形量が所定量以下に抑えられる。よって、原稿台の位置ずれが抑制される。この結果、原稿台の位置ずれに起因する原稿の読取画像の画質の低下を一層効果的に抑制できる。
【００９０】
上記読取装置では、前記原稿台は、前記第１フレームと、前記第１フレームに対して前記第２フレームと反対側で対向する位置に平行に配置された第３フレームとを含む一対のフレームを有し、前記一対のフレームは、長手方向と交差する断面の形状がＵ字状を有しており、前記一対のフレームのうち一方又は両方の前記Ｕ字状の部分には柱部材が介在してもよい。
【００９１】
この構成によれば、原稿台を構成する前後一対のフレームのうち一方又は両方には、Ｕ字状の部分に柱部材が介在している。このため、柱部材が介在するフレームに上から荷重がかかってもそのフレームは変形しにくい。例えば、第１フレームに柱部材が介在されている場合、第１フレームに給送部及びカバーの荷重がヒンジを介してかかっても、第１フレームのＵ字状の部分に介在する柱部材によって、第１フレームの変形が抑制される。また、例えば、第３フレームに柱部材が介在されている場合、第３フレームにユーザーが給送部及びカバーを原稿台上の原稿の浮き上がり等を抑えるために上側から押さえても、第３フレームのＵ字状の部分に介在する柱部材によって、第３フレームの変形が抑制される。
【００９２】
上記読取装置では、前記ヒンジは、相対回動可能に連結された第１部材と第２部材とを備え、前記第１部材が前記第２フレームに固定され、前記第２部材が前記給送部及び前記カバーを支持し、前記第２部材に固定された状態で前記カバーの回動半径方向に延伸する補強フレームを備え、前記給送部のフレームは、前記補強フレームと固定されてもよい。
【００９３】
この構成によれば、給送部のフレームが、ヒンジを構成する第２部材に固定された状態でカバーの回動半径方向に延伸する補強フレームに固定されているので、給送部及びカバーの開閉が繰り返されても、給送部の変形を抑制できる。この結果、給送部が原稿台上に原稿を給送したとき、カバーの回動半径方向両端部での原稿と読取部との距離の差が小さく抑制される。よって、原稿のカバー回動半径方向の全体が読取部の被写界深度内に入るので、原稿の全体をぼけの少ない高画質な画像として読み取ることができる。
【００９４】
読取装置は、原稿を載置する原稿台を有する筐体と、前記筐体の上部においてヒンジを介して回動するカバーと、前記カバーに搭載された給送部と、前記原稿台に載置された原稿及び前記給送部が給送した原稿を読み取る読取部と、を備え、前記ヒンジは、相対回動可能な第１部材と第２部材とを有し、前記第１部材が前記筐体を構成するフレームに固定され、前記第２部材が前記給送部及び前記カバーを支持し、前記第２部材に固定された状態で前記カバーの回動半径方向に延伸する補強フレームを備え、前記給送部のフレームは、前記補強フレームと固定されてもよい。
【００９５】
この構成によれば、給送部のフレームが、ヒンジを構成する第２部材に固定された状態でカバーの回動半径方向に延伸する補強フレームに固定されているので、給送部を搭載するカバーの開閉が繰り返されても、給送部の変形を抑制できる。この結果、給送部が原稿台上に原稿を給送したとき、カバー回動半径方向両端部での原稿と読取部との距離の差を小さく抑制できる。よって、原稿のカバー回動半径方向の全体が読取部の被写界深度内に入るので、原稿の全体をぼけの少ない高画質な画像として読み取ることができる。したがって、原稿台と給送部とを備えた読取装置において、原稿の良質な読取画像を得ることができる。
【００９６】
上記読取装置では、前記補強フレームは、前記回動半径方向に前記給送部及びカバーの重心位置を超える位置まで延伸していてもよい。
この構成によれば、給送部及びカバーの重心にかかる荷重を補強フレームが受けるので、給送部及びカバーの開閉の繰り返しによる変形をより効果的に抑制できる。よって、給送部が読取位置に給送した原稿のカバー回動半径方向両端部での原稿と読取部との距離の差が小さく抑制される。この結果、原稿の全体をぼけの一層少ない高画質な画像として読み取ることができる。
【００９７】
上記読取装置では、前記原稿台に移動可能に収容される前記読取部としての第１読取部と、前記給送部において搬送経路の途中で原稿を読み取る第２読取部とを備え、前記補強フレームは、前記給送部における前記回動半径方向と交差する幅方向において、前記給送部により搬送された原稿を読み取る読取位置にある前記第１読取部と前記第２読取部とのそれぞれの外側端部の間の範囲に配置されていてもよい。
【００９８】
この構成によれば、補強フレームは、給送部の幅方向において読取位置にある第１読取部と第２読取部とのそれぞれの外側端部の間の範囲に配置されている。このため、第１読取部と第２読取部との周辺部分の変形が、補強フレームによって小さく抑制される。よって、給送部が搬送した原稿の例えば第１面を第１読取部が読み取るときも、給送部が搬送した原稿の例えば第２面をその搬送経路の途中で第２読取部が読み取るときも、原稿を高い読取精度で読み取ることができる。
【００９９】
上記読取装置では、前記給送部の前記フレームは、前記回動半径方向の両側に配置された一対の側板フレームと、前記一対の側板フレームを支持する支持フレームと、を有し、前記補強フレームは、前記支持フレームの上方又は下方に位置し、前記支持フレームに対して前記回動半径方向の両端部で固定され、前記両端部の固定箇所の間の範囲の少なくとも一部で前記支持フレームと隙間を隔てて配置されてもよい。
【０１００】
この構成によれば、補強フレームは、回動半径方向の両端部で支持フレームに固定され、両端部の固定箇所の間の範囲の少なくとも一部で支持フレームとの間に隙間が設けられている。よって、支持フレームが補強フレームにより補強されるうえ、仮に支持フレームが変形して、支持フレームの両端部の間の部分が補強フレームに接近する方向に変位しても、隙間の存在により、支持フレームが補強フレームに接触してこれを押すことが回避される。この結果、支持フレームの変形した部分が補強フレームに当たることによる給送部の変形を抑制できる。
【０１０１】
上記読取装置では、前記補強フレームは、前記回動半径方向と交差する方向の断面の形状がＵ字状であって、当該補強フレームよりも下方に位置する前記支持フレームに対して、前記Ｕ字状の底部にて、前記回動半径の接線方向を軸線方向とするねじ部材により固定されてもよい。
【０１０２】
この構成によれば、カバーがヒンジを介して回動するときに仮に補強フレームが湾曲しても、補強フレームと支持フレームとのねじ部材による固定位置がずれにくい。ねじ部材の締結による補強フレームと支持フレームとの固定箇所での位置決めは、締結箇所での面と面との摩擦により行われ、補強フレームが湾曲して変位する方向がその摩擦面と平行な方向であると、固定位置がずれてしまう。しかし、補強フレームが湾曲して変位する方向が、ねじ部材の締結による摩擦面と平行な方向ではなく、ねじ部材の軸線方向なので、固定位置がずれにくい。なお、カバーの開き角度が小さいときにモーメントの関係で補強フレームは湾曲しやすく、また閉じた状態でもユーザーがカバーの回動先端部分を押さえたときに補強フレームは湾曲しやすい。
【０１０３】
複写装置は、上記読取装置と、前記読取装置の前記読取部が読み取った原稿の画像を媒体に記録する記録部を前記筐体内に有する記録装置と、を有し、前記読取装置の下方に前記記録装置が配置されている。
【０１０４】
この構成によれば、読取装置が原稿を高い精度で読み取った画像を記録部が媒体に記録することにより、複写装置によって原稿を位置ずれや画質の低下が抑制された高い精度で複写することができる。
【符号の説明】
【０１０５】
１１…複写装置の一例としての複合機、１２…筐体、１３…読取装置、１４…原稿読取装置、１５…カバー、１６…給送部の一例としての自動原稿送り装置（ＡＤＦ）、１７…原稿トレイ、２６…記録部、２７…記録ヘッド、２８…キャリッジ、２９…記録装置、３０…ヒンジ、３０Ａ…第１部材、３０Ｂ…第２部材、３１…原稿台、３２…本体ハウジング、３３…枠体、３４…ガラス、３５…透明板、３６…原稿押さえ面、３７…開口、３８…ハウジング、４１…読取部の一例としての第１読取部、４２…第２読取部、４４…第１センサー、４５…キャリッジ、４６…搬送部、５０…給送ローラー…、５１…セパレートローラー、５２…第１ガイドローラー、５３…第２ガイドローラー、５４…第３ガイドローラー、５５…送りローラー、５６…排出ローラー、６０…フレーム枠、６１…底部、６１Ａ，６１Ｂ…度当て部の一例としての突部、６６…ねじ、６７…ねじ、６８…ねじ、７１…第１フレーム、７１Ａ…ロアフレーム、７１Ｂ…アッパーフレーム、７２…第２フレーム、７３…第３フレーム、７３Ａ…ロアフレーム、７３Ｂ…アッパーフレーム、７４…サイドフレームの一例である第４フレーム、７５…、７６…、７７…柱部材、７８…柱部材、７９…位置決めピン、８０…フレーム、８１…側板フレーム、８２…支持フレーム、８２Ａ…支持フレーム、８６…補強フレーム、８６Ａ…底部、８７…突部、８８…ねじ部材の一例としてのねじ、１００…読取装置の一例としてのスキャナー装置、Ｄ…原稿、Ｐ…媒体の一例としての用紙、Ｔ…搬送経路、Ｇ１…隙間、Ｇ２…隙間、ＣＧ…重心、ＳＰ…読取位置、ＳＡ…範囲、Ｘ…奥行方向、Ｙ…幅方向、Ｚ…鉛直方向。
【図１】
2020072328.tif 000003
【図２】
2020072328.tif 000004
【図３】
2020072328.tif 000005
【図４】
2020072328.tif 000006
【図５】
2020072328.tif 000007
【図６】
2020072328.tif 000008
【図７】
2020072328.tif 000009
【図８】
2020072328.tif 000010
【図９】
2020072328.tif 000011
【図１０】
2020072328.tif 000012
【図１１】
2020072328.tif 000013
【図１２】
2020072328.tif 000014
【図１３】
2020072328.tif 000015
【図１４】
2020072328.tif 000016
【図１５】
2020072328.tif 000017